(57)【要約】【課題】製品の薄型化を可能とするととともに低騒音化することが可能な空気清浄機を提供すること。【解決手段】本発明に係る空気清浄機は、略箱型の本体筐体１を備え、本体筐体１内には、前面から見た略中央部に、回転軸５２を前後方向にするとともにファン吸込口５３を前面側にして配置された遠心ファン５と、この遠心ファン５の吹出側に配置された空気清浄フィルタ４とを備えている。また、本空気清浄機は、本体筐体１の前方に、ファン吸込口５３に連通する室内空気を吸い込むための室内空気吸込口を備えるとともに、本体筐体１における空気清浄フィルタ４の下流側に、清浄化された空気を室内へ吹き出すための室内吹出口１８が設けられている。【選択図】図１
2008142665.tif 000002
【特許請求の範囲】
【請求項１】
略箱型の本体筐体と、回転軸を前後方向にするとともにファン吸込口を前面側にして、本体筐体内における前面から見た略中央部に配置された遠心ファンと、本体筐体内の遠心ファンの径方向吹出側に配置された空気清浄フィルタと、本体筐体の前方にあって、前記ファン吸込口に連通する室内空気を吸い込むための室内空気吸込口と、本体筐体における空気清浄フィルタの下流側に配置された清浄化された空気を室内へ吹き出すための室内吹出口とを備えていることを特徴とする空気清浄機。
【請求項２】
前記本体筐体は前面を開放するように形成され、この本体筐体の前面には本体筐体の前面を覆うとともに前記遠心ファンの吸込側と吹出側とを仕切る仕切板が取り付けられ、この仕切板の前記遠心ファンの吸込口に対応する位置には前記遠心ファンのベルマウスが形成され、また、該仕切板の前面にはフロントパネルが配置され、このフロントパネルは、前記仕切板との間にファン吸込側空間を形成するように構成され、さらに、このファン吸込側空間に連通される位置には前記室内空気吸込口が形成されていることを特徴とする請求項１記載の空気清浄機。
【請求項３】
前記仕切板は、開放された本体筐体の前面に対し着脱自在に取り付けられるとともに、空気清浄フィルタを収納する収納スペースの前面側の収納壁を兼用していることを特徴とする請求項２記載の空気清浄機。
【請求項４】
前記空気清浄フィルタは、本体筐体内における左右側方及び上方の少なくとも複数の位置に配置され、前記室内吹出口がこのように配置された空気清浄フィルタの下流側に位置する本体筐体の左右側面又は上面に形成されていることを特徴とする請求項１〜３の何れか１項に記載の空気清浄機。
【請求項５】
前記空気清浄フィルタは、使用者が本体筐体内における左右側方及び上方の３箇所の内の任意の２箇所を選択して随時取付位置を変更できるように構成されていることを特徴とする請求項４記載の空気清浄機。
【請求項６】
前記空気清浄フィルタが本体筐体内において左右側方及び上方に配置され、前記室内吹出口が空気清浄フィルタの位置に対応して本体筐体の左右側面及び上面に形成されていることを特徴とする請求項１〜３の何れか１項に記載の空気清浄機。
【請求項７】
前記各空気清浄フィルタは、略同一形状かつ略同一寸法に形成されていることを特徴とする請求項４〜６の何れか１項に記載の空気清浄機。
【請求項８】
前記室内空気吸込口は、フロントパネルの端部と仕切板の端部との間にスリット状に形成されていることを特徴とする請求項２〜７の何れか１項に記載の空気清浄機。
【請求項９】
前記空気清浄フィルタが本体筐体内において左右側方に配置され、前記室内吹出口が本体筐体の左右側面に形成され、前記室内空気吸込口がフロントパネルの上端部と仕切板の上端部との間及びフロントパネルの下端部と仕切板の下端部との間にそれぞれ形成されていることを特徴とする請求項８記載の空気清浄機。
【請求項１０】
前記フロントパネルは、前面の左右側部に室内空気の補助吸込口として縦長のスリットを備えていることを特徴とする請求項２〜９の何れか１項に記載の空気清浄機。
【請求項１１】
前記空気清浄フィルタは、外周形状が略直方体状に形成されるとともに、その空気流入側端面及び空気流出側端面が本体筐体の前面と略直交するように配置され、さらに、本体筐体の前面側から着脱自在に取り付けられていることを特徴とする請求項２〜１０の何れか１項に記載の空気清浄機。
【請求項１２】
前記仕切板に形成されたベルマウスの前面側にプレフィルタが取り付けられていることを特徴とする請求項２〜１１の何れか１項記載の空気清浄機。
【請求項１３】
前記空気清浄フィルタは、少なくとも集塵フィルタ又は脱臭フィルタの何れか一方を備えていることを特徴とする請求項１〜１２の何れか１項記載の空気清浄機。
【請求項１４】
前記遠心ファンはターボファンであることを特徴とする請求項１〜１３の何れか１項に記載の空気清浄機。
【請求項１５】
前記遠心ファンはラジアルファンであることを特徴とする請求項１〜１４の何れか１項に記載の空気清浄機。
【発明の詳細な説明】
【技術分野】
【０００１】
本発明は、空気清浄機に関し、特に薄型化が可能な空気清浄機に関するものである。
【背景技術】
【０００２】
従来の空気清浄機においては、モータ駆動のファンがその回転軸を製品の奥行き方向にして配置されるとともに、静電集塵フィルタ、脱臭フィルタなどからなる空気清浄フィルタがファンの吸込側となる製品の奥行き方向におけるファンの手前側に配置されていた。このため、製品の奥行き方向の寸法が大きくなり、室内設置の場合に邪魔となるケースが多く、ユーザから薄型化の要望が強くなっていた。また、騒音も高く、低騒音化のニーズも高まっていた。なお、このような例としては、特許文献１や非特許文献１などに記載の空気清浄機がある。
【特許文献１】特開２００３−１０６５８１号公報
【非特許文献１】製品カタログ「ダイキン空気清浄機  光クリエール」、ダイキン工業株式会社、２００６年８月
【発明の開示】
【発明が解決しようとする課題】
【０００３】
本発明は、従来技術に存在するこのような問題点に着目してなされたものであって、製品の薄型化するととともに低騒音化することが可能な空気清浄機を提供することを目的とする。
【課題を解決するための手段】
【０００４】
上記課題を解決する本発明に係る空気清浄機は、略箱型の本体筐体と、回転軸を前後方向にするとともにファン吸込口を前面側にして、本体筐体内における前面から見た略中央部に配置された遠心ファンと、本体筐体内の遠心ファンの吹出側に配置された空気清浄フィルタと、本体筐体の前方にあって、前記ファン吸込口に連通する室内空気を吸い込むための室内空気吸込口と、本体筐体における空気清浄フィルタの下流側に配置された清浄化された空気を室内へ吹き出すための室内吹出口とを備えていることを特徴とする。なお、空気清浄フィルタとは、流通する空気中の浮遊汚染粒子、ガス状汚染物質などの汚染物を除去して空気を清浄化する機能を備えたフィルタ部材、機器などをいう。具体的には、一般に集塵フィルタや脱臭フィルタと称されるものを広く含む概念である。例えば、臭い成分を分解するとともに、細菌、カビ菌、ウイルスなどを吸着除去する光触媒チタンアパタイトフィルタ、バイオ抗体により浮遊するウイルスを吸着除去するバイオ抗体フィルタなどの近年の空気清浄機に用いられるようになった最新のフィルタなどが前記空気清浄フィルタに含まれる。
【０００５】
上記構成によると、空気清浄フィルタと遠心ファンとが前方から見て平面的に配置されており、従来のように製品の奥行き方向に並べて配置されていないので、本体筐体の薄型化を図ることができる。また、遠心ファンの吹出側に空気清浄フィルタが配置されているため、空気清浄フィルタによる吸音効果や遮音効果が発揮され、空気清浄機の低騒音化が図れる。
【０００６】
また、このような構成の空気清浄機において、前記本体筐体は前面を開放するように形成され、この本体筐体の前面に、本体筐体の前面を覆うとともに前記遠心ファンの吸込側と吹出側とを仕切る仕切板が取り付けらえている。そして、この仕切板の前記遠心ファンの吸込口に対応する位置にベルマウスが形成されている。また、この仕切板の前面にフロントパネルを配置し、このフロントパネルと前記仕切板との間にファン吸込側空間が形成されるように前記フロントパネルを構成する。さらに、このファン吸込側空間に連通される位置に前記室内空気吸込口を形成するように構成することが好ましい。このように構成すると、フラットな平面を備えたデザイン性に優れたフロントパネルを採用することができる。また、フロントパネルがフラットになっているため、フロントパネルの清掃が楽になり、メンテナンス性が向上する。また、遠心ファンの前面にファン吸込側空間が形成されているので、室内空気を吸い込むための室内空気吸込口はこのファン吸込側空間に連通するように形成すればよく、室内空気吸込口の形成が容易である。例えば、フロントパネルの端部と仕切板の端部との隙間や、フロントパネルの適宜の位置などに室内空気吸込口を設けることができる。
【０００７】
また、前記仕切板は、開放された本体筐体の前面に対し着脱自在に取り付けられるとともに、空気清浄フィルタの収納スペースの前面側収納壁を兼用するように形成されていることが好ましい。このように構成すると、仕切板を外すことにより、空気清浄フィルタの交換をすることができると同時に、遠心ファンも露出するので、遠心ファンを正面側から清掃することもできる。したがって、機器の手入れ、メンテナンスが簡単になる。
【０００８】
また、前記空気清浄フィルタを本体筐体内における左右側方及び上方の少なくとも複数の位置に配置するととともに、前記室内吹出口をこのように配置された空気清浄フィルタの下流側に位置する本体筐体の左右側面又は上面に形成するようにしてもよい。このようにすれば、空気清浄フィルタが複数箇所に配置されるため、空気清浄フィルタの空気通過面積を大きくすることができ、空気清浄効率を向上させることができる。
【０００９】
また、空気清浄フィルタは、使用者が本体筐体内における左右側方及び上方の３箇所の内の任意の２箇所を選択して随時取付位置を変更できるように構成してもよい。このようにすれば、天井面や壁面の近傍に空気清浄機を配置する場合に、吹出気流が阻害されないように空気清浄フィルタの位置及び吹出口の位置を選択することができる。
【００１０】
また、前記空気清浄フィルタを本体筐体内において左右側方及び上方に配置するとともに、前記室内吹出口をこの空気清浄フィルタの各位置に対応して本体筐体の左右側面及び上面に形成するようにしてもよい。このようにすれば、空気清浄フィルタが３箇所に分散配置されるため、空気通過面積をより大きくすることができる。
【００１１】
また、上記のように空気清浄フィルタを複数の位置に配置する場合において、各空気清浄フィルタを略同一形状かつ略同一寸法に形成した場合は、各空気清浄フィルタの風速分布を略均一にすることができる。これにより、空気清浄効率を向上させることができる。
【００１２】
また、室内空気吸込口が、フロントパネルの端部と仕切板の端部との間にスリット状に形成されているようにすることもできる。このように構成すると、吸込口を前面に形成しないフラットなフロントパネルを容易に構成することができる。
【００１３】
また、この場合において、前記空気清浄フィルタを本体筐体内において左右側方に配置するとともに、室内吹出口を本体筐体の左右側面に形成し、さらに、前記室内空気吸込口をフロントパネルの上端部と仕切板の上端部との間及びフロントパネルの下端部と仕切板の下端部との間にそれぞれ形成するようにしてもよい。このようにすれば、室内空気吸込口と室内吹出口との間のショートサーキットを避けながら、清浄化された空気を左右対称的に吹き出すことができる。また、このように構成した場合は、左右の空気清浄フィルタの風速分布を均一にし、空気清浄効率を向上させることが容易になる。また、空気清浄機が設置される部屋の一壁面の略中央部に沿ってこの空気清浄機を配置して使用すると、空気清浄フィルタを通過して清浄化された空気が壁面に沿って吹き出され、空気清浄機の正面から室内空気を吸い込む循環気流が形成される。この結果、室内を包み込むような循環気流が形成されるので、室内の全体が空気を効率よく清浄化することができる。
【００１４】
また、前記フロントパネルは、前面の左右側部に室内空気の補助吸込口として縦長のスリットを備えたものとすることもできる。このように構成すれば、室内空気吸込口の面積を大きくすることができるので、室内空気の吸込空気抵抗を低減することができ、機器の省エネ化を図ることができる。
【００１５】
また、前記空気清浄フィルタを略直方体状に形成するとともに、空気清浄フィルタの空気流入側端面及び空気流出側端面を本体筐体の前面と略直交するように配置し、さらに、本体筐体の前面から着脱自在に取り付けるようにしてもよい。このように構成すれば、空気清浄フィルタを正面側から着脱することができるのでメンテナンスが楽になる。
【００１６】
また、前記仕切板に形成されたベルマウスの前面側にプレフィルタを取り付けるようにすることが好ましい。このように構成すれば、糸くずなどの大きなごみが遠心ファン及び空気清浄フィルタに吸い込まれるのを防止するとともに、遠心ファンの吸込気流が整流されるので、遠心ファンの吸込抵抗が減少し、遠心ファンの騒音が低下する。
【００１７】
また、空気清浄フィルタは、少なくとも集塵フィルタ又は脱臭フィルタの何れか一方を備えていることが好ましい。この何れかを備えていることにより、空気清浄機の用途を広くすることができる。この点から言えば、より好ましくは集塵フィルタと脱臭フィルタの双方を備えていることが好ましい。
【００１８】
また、前記遠心ファンをターボファンとすることができる。遠心ファンをターボファンとすると、運転効率が高くなるので機器の省エネ化を図ることができる。
また、前記遠心ファンをラジアルファンとしてもよい。遠心ファンをラジアルファンとすると、遠心ファンからの吹出気流は、周方向の成分が少ない気流となるので、気流が空気清浄フィルタに入るときの乱れが小さくなる。この結果、気流の通過抵抗が小さくなるとともに騒音が小さくなる。すなわち、機器の省エネ化及び低騒音化を図ることができる。
【発明の効果】
【００１９】
本発明に係る空気清浄機によれば、空気清浄フィルタと遠心ファンとが前方から見て平面的に配置されており、従来のように製品の奥行き方向に並べて配置されていないので、本体筐体の薄型化を図ることができる。また、ファンの吹出側に空気清浄フィルタが配置されているため、空気清浄フィルタによる吸音効果や遮音効果が発揮され、空気清浄機の低騒音化が図れる。
【発明を実施するための最良の形態】
【００２０】
以下、本発明の実施の形態に係る空気清浄機について、図１〜図４に基づき説明する。
図１は、本実施の形態に係る空気清浄機の分解斜視図であり、図２は同空気清浄機の外観斜視図であり、図３は同空気清浄機の平断面図であり、図４は同空気清浄機の側断面図である。この空気清浄機は床置型であって、空気清浄機の筐体は、図１に示すように、前面が開放された略箱型の本体筐体１と、この本体筐体１の前面に取り付けられる仕切板２と、さらにこの仕切板２の前面に取り付けられるフロントパネル３とから構成されている。なお、図１〜図４における太い実線矢印は空気の流れ方向を示す。
【００２１】
本体筐体１は、上方大半部が薄型に形成された略箱型の薄型部１１に形成され、この薄型部１１の下方部にはフロントパネル３の前面と略面一となる程度に奥行きが大きく形成された電装品収納部１２が形成されている。この電装品収納部１２は、この空気清浄機のベース部材を兼ねている。また、電装品収納部１２の前方への出っ張り部の前面上部から上面にかけての角部は、後述するフロントパネル３の下端部と仕切板２の下端部との間に形成される室内空気吸込口９に連なるように、側断面が曲面状の凹部１３に形成されている（図４参照）。本体筐体１における薄型部１１の左右両側部の上下角部には段状部１４が形成され、この上下の段状部１４間が空気清浄フィルタ４を収納する収納スペース１５として形成されている（図１参照）。本体筐体１の薄型部１１の前面には内向きフランジ１６が形成され、この内向きフランジ１６には仕切板２を取り付けるための複数のねじ孔１７が形成されている（図１参照）。
【００２２】
本体筐体１の左右側方に取り付けられる空気清浄フィルタ４は、流通する空気中の浮遊汚染粒子、ガス状汚染物質などの汚染物を除去して空気を清浄化する機能を備えたフィルタ部材又は機器であって、図面にはその詳細を記載していないが、従来公知のようなものでよい。例えば、後述する遠心ファン５の吹出側に、バイオ抗体の力で空気中に浮遊するウイルスを素早く吸着するバイオ抗体フィルタを設け、その下流側にプラズマイオン化部で埃や花粉をプラスに帯電させ、マイナスに帯電したフィルタでこれら埃や花粉を吸着する静電集塵フィルタを配置する。そして、この静電集塵フィルタの下流側に、臭気成分を分解するとともに、カビ菌やウイルスを吸着する光触媒アパタイトフィルタなどの脱臭フィルタを配置したものとする。このような構成の空気清浄フィルタ４は、その外周形状が前記収納スペース１５の形状に合致するような直方体状に形成されたものであって、左右のものが略同一形状に形成されている。また、図３に示すように、空気清浄フィルタ４の空気流入側端面４１及び空気流出側端面４２が薄型部１１の前面と直交するように、空気清浄フィルタ４が形成され、配置されている。さらに、空気清浄フィルタ４は、後述するフロントパネル３及び仕切板２を外した状態において、本体筐体１の前面側から着脱自在に取り付けられている。
【００２３】
また、本体筐体１の両側面には、空気清浄フィルタ４の下流側に位置し、かつ、この両側面における空気清浄フィルタ４の空気流出側端面４２に対向する位置に、清浄化された空気を室内へ吹き出すための室内吹出口１８がそれぞれ形成されている。
【００２４】
本体筐体１における薄型部１１の前面から見た中央部には、遠心ファン５が配置されている。遠心ファン５としてはターボファンが用いられている。この遠心ファン５は、羽根車５１の回転軸５２を奥行き方向にするとともに、ファン吸込口５３を形成するシュラウド５４を前面側にして配置され、ファンモータ５５が本体筐体１の背板に取り付けられている。したがって、前述の空気清浄フィルタ４はこの遠心ファン５の羽根車５１の径方向吹出側に配置されることになる。
【００２５】
仕切板２は、平板状であって、その周辺部には本体筐体１の前面の内向きフランジにねじ止めするためのねじ貫通用の複数の貫通孔２１が設けられている。そして、仕切板２は、貫通孔２１を介してねじ（図示せず）により本体筐体１の前面の内向きフランジ１６に着脱自在にねじ止めされている（図１参照）。また、仕切板２には、遠心ファン５のファン吸込口５３を形成するシュラウド５４に対応する位置にベルマウス２２が形成されている。仕切板２は、このように形成されることにより、仕切板２の内側をファン吹出側とし、仕切板２の前面側をファン吸込側とするように機能する。さらに、仕切板２は、空気清浄フィルタ４の収納スペース１５の前面側の収納壁を兼用する。
【００２６】
また、仕切板２の中央部に形成されたベルマウス２２の前面側には、プレフィルタ６が取り付けられている。プレフィルタ６は、カテキン含有のフィルタであって、大きな埃やペットの毛などを捕集するとともに、埃などに付着している細菌やカビ成分を除菌する機能を備えている。
【００２７】
フロントパネル３は、フラットな平面を備えた前板３１の両側を後方に折り曲げて折曲片３２を形成し、この折曲片３２の寸法を適切に設定することにより、仕切板２との間に適切な間隔のファン吸込側空間７を形成するように構成されている。また、フロントパネルは、本体筐体１又は仕切板２に対し、図示しない適宜の手段により着脱自在に取り付けられている。そして、フロントパネル３の上端部と仕切板２の上端部との間、及びフロントパネル３の下端部と仕切板２の下端部との間にそれぞれ室内空気吸込口８，９がスリット状に形成されている。
【００２８】
次に、本実施の形態に係る空気清浄機の運転について説明する。
図示しない運転スイッチが投入されることにより、ファンモータ５５が運転されて遠心ファン５が運転されるとともに、電源を必要とする静電集塵フィルタなどを備えた空気清浄フィルタ４が作動する。これにより、フロントパネル３の上端部と仕切板２の上端部との間にスリット状に形成された室内空気吸込口８を介して室内空気が吸い込まれる。また、室内空気は、本体筐体１の電装品収納部１２の前面に形成された凹部１３から、フロントパネル３の下端部と仕切板２の下端部との間にスリット状に形成された室内空気吸込口９を介しても吸い込まれる。このように両室内空気吸込口８，９から吸入された室内空気は、フロントパネル３と仕切板２との間に形成されたファン吸込側空間７に入る。そして、プレフィルタ６、ベルマウス２２及びファン吸込口５３を介し遠心ファン５に吸入され、羽根車５１の径方向吹出側に吹き出される。この経路において、プレフィルタ６では大きな埃やペットの毛などが捕集され、カテキン成分により埃などに付着した細菌やカビ菌が除去される。
【００２９】
遠心ファン５から径方向に吹き出された空気は、本体筐体１内において左右の空気清浄フィルタ４に送られる。そして、空気清浄フィルタ４に送られた室内空気は、バイオ抗体フィルタで浮遊するウイルスが吸着され、静電集塵部で埃や花粉がプラスに帯電されてマイナスに帯電されたフィルタに吸着される。さらに、脱臭フィルタで臭い成分が分解されるとともに、細菌やカビ菌が吸着されて臭いが除去され、清浄化された空気となって室内吹出口１８から左右方向に吹き出される。
【００３０】
この場合において、図５に示すように、空気清浄機が設置される部屋Ｒの一壁面の中央部に配置されている場合は、室内空気は空気清浄機の正面から吸入され、清浄化された後左右の室内吹出口１８から壁面に沿って吹き出される。このため、図５に示すように、室内空気は、部屋Ｒの周囲から空気清浄機の正面中央部に向かう循環気流Ｆが形成され、効率よく室内全体の空気が清浄化される。
【００３１】
以上のように構成された空気清浄機によれば、次のような効果を奏することができる。
（１）空気清浄フィルタ４と遠心ファン５とが前方から見て平面的に配置されており、従来のように製品の奥行き方向に並べて配置されていないので本体筐体１の奥行き寸法を小さくして薄型にすることができる。また、遠心ファン５の吹出側に空気清浄フィルタ４が配置されているため、空気清浄フィルタ４による吸音効果や遮音効果が発揮され、空気清浄機の低騒音化が図れる。
【００３２】
（２）仕切板２の前面にフロントパネル３を配置し、フロントパネル３と仕切板２との間にファン吸込側空間７を形成する構成としているので、デザイン性に優れたフラットなフロントパネル３を採用することができる。また、フロントパネル３がフラットになっているため、フロントパネル３の清掃が楽になり、メンテナンス性が向上する。特に、この場合は、室内空気吸込口８，９が、フロントパネル３の端部と仕切板２の端部との間にスリット状に形成されているので、フロントパネル３を容易にフラット状に形成することができる。
【００３３】
（３）遠心ファン５の前面側の仕切板２とフロントパネル３との間にファン吸込側空間７が形成されているので、室内空気を吸い込むための室内空気吸込口８，９はこのファン吸込側空間７に連通させるように構成すればよく、その位置の制約が少なく、室内空気吸込口８，９を容易に形成することができる。
【００３４】
（４）空気清浄フィルタ４が複数の位置に分散配置されているので、すなわち、この実施の形態の場合には、空気清浄フィルタ４が本体筐体１内において左右側方の位置に分散配置されているので、空気清浄フィルタ４の空気通過面積を大きくすることができ、空気清浄効率を向上させることができる。
【００３５】
（５）また、この場合において、各空気清浄フィルタ４は略同一形状かつ略同一寸法に形成されているので、各空気清浄フィルタ４の風速分布を略均一にすることができ、空気清浄効率を向上させることができる。
【００３６】
（６）また、本実施の形態においては、空気清浄フィルタ４が本体筐体１内の左右側方に配置されるとともに、室内吹出口１８が本体筐体１の左右側面に形成され、さらに、室内空気吸込口８，９がフロントパネル３の上端部と仕切板の上端部との間及びフロントパネル３の下端部と仕切板２の下端部との間にそれぞれ形成されている。このため、室内空気吸込口８,９と室内吹出口１８との間のショートサーキットを避けながら、清浄化された空気を左右対称的に吹き出すことができる。また、このように構成した場合は、左右の空気清浄フィルタ４の風速分布を均一にし、空気清浄効率を向上させることが容易になる。
【００３７】
（７）また、部屋Ｒの一壁面の略中央部に沿ってこの空気清浄機を配置して使用すると、空気清浄フィルタ４を通過して清浄化された空気が室内吹出口１８から壁面に沿って吹き出され、空気清浄機の正面から室内空気を吸い込む循環気流が形成される。この結果、室内を包み込むような循環気流Ｆが形成されるので、室内全体の空気を効率よく清浄化することができる。
【００３８】
（８）仕切板２が本体筐体１の前面に対し着脱自在に取り付けられるとともに、空気清浄フィルタ４の収納スペース１５の前面側収納壁を兼用するように構成されているので、仕切板２を外すことにより、空気清浄フィルタ４の交換をすることができる。また、遠心ファン５も露出するので、遠心ファン５を正面側から清掃することもできる。したがって、機器の手入れ、メンテナンスが簡単になる。
【００３９】
（９）また、この場合において、空気清浄フィルタ４が略直方体状に形成されるとともに、空気清浄フィルタ４の空気流入側端面４１及び空気流出側端面４２が本体筐体１の前面と略直交するように配置されているので、空気清浄フィルタ４の正面側からの着脱が容易になり、メンテナンスが楽になる。
【００４０】
（１０）空気清浄フィルタ４は、集塵フィルタと脱臭フィルタの双方を備えているので、機能が充実し、用途の拡大、需要の拡大を図ることができる。
また、プレフィルタ６が仕切板２に形成されたベルマウス２２の前面側に取り付けられているので、糸くずなどの大きなごみが遠心ファン５及び空気清浄フィルタ４に吸い込まれることが防止される。さらに、このプレフィルタ６により遠心ファン５への吸込気流が整流されるので、遠心ファン５の吸込抵抗が減少し、遠心ファン５の騒音が低下する。
【００４１】
（１１）遠心ファン５としてターボファンが用いられているので、運転効率が高くなり、機器の省エネ化を図ることができる。
以下に上記実施の形態に係る空気清浄機の変形例を記す。
【００４２】
（変形例１）
上記実施の形態においては、空気清浄フィルタ４としては、静電集塵フィルタと脱臭フィルタの双方を備えていたが、何れか一方のフィルタを備えたものでもよく、本発明はこのような空気清浄機をも包含する。なお、静電集塵フィルタに代えてＨＥＰＡフィルタなどの他の形式の集塵フィルタにしてもよいことは勿論である。
【００４３】
（変形例２）
遠心ファン５は、ターボファンに拘るものではなく、図６に示すようにターボファンに代えてラジアルファン５ａを用いるようにしてもよい。遠心ファン５をラジアルファンとすると、遠心ファン５からの吹出気流は、周方向の成分が少ない気流となるので、気流が空気清浄フィルタ４に入るときの乱れが小さくなる。この結果、気流の通過抵抗が小さくなるとともに騒音が小さくなる。すなわち、機器の省エネ化及び低騒音化を図ることができる。
【００４４】
（変形例３）
前記実施の形態に係る空気清浄機は、床置形として記載しているが、壁掛型の空気清浄機とすることもできる。この場合には、本体筐体１の下方の電装品収納部１２の奥行き寸法を薄型部１１と同一にして、あるいは、電装品収納部１２を他の位置に移動して、フロントパネル３の下端部と仕切板２との下端部との間に形成される室内空気吸込口９を下面に露出するように形成することができる。また、本空気清浄機の縦長の方向を水平にした形態として、高さ方向の寸法が小さい薄型の天井吊型空気清浄機としてもよい。これら壁掛型及び天井吊型空気清浄機においても、薄型となることにより部屋Ｒに設置された場合の圧迫感を緩和することができる。
【００４５】
（変形例４）
前述の実施の形態において、図７のようにフロントパネル３の前面の左右側部に室内空気の補助吸込口として縦長のスリット３３を設けてもよい。このように構成すれば、室内空気を吸い込む吸込口の面積を大きくすることができるので、室内空気の吸込空気抵抗を低減することができ、機器の省エネ化を図ることができる。
【００４６】
（変形例５）
上記実施の形態においては、空気清浄フィルタ４が本体筐体１内の左右側方に設けられていた。このように、左右に空気清浄フィルタ４を配置して左右側面から吹き出すようにすることは、前記図５のように壁面中央部に設置される場合に好ましい。特に、壁掛け型として使用する機種の場合には、空気清浄機の上面と天井との間のスペースが狭い場合もあり、このような場合には左右吹出とすることが好ましい。しかしながら、図８（ａ）のように、部屋Ｒの一方のコーナ部に設置される場合であって、右側面が壁面の近くになる場合には、右側面から吹き出すことが気流の循環上好ましくない。
【００４７】
そこで、予めこのような場合に備え、空気清浄機における空気清浄フィルタ４の取付位置を左右の両側方或いは上方のうちの何れか２箇所に使用者が自由に変更できるように構成する。また、前記実施の形態１に記載したような室内吹出口１８を空気清浄フィルタ４の取付位置に対応して構成することができるように、予め左右の両側面及び上面それぞれに同一形状で室内吹出口１８を形成しておく。また、空気清浄フィルタ４を取り付けない任意の面の室内吹出口１８を共通的に閉塞可能とする蓋、例えば平板状の蓋板（図示せず）を用意しておく。さらに、上面に室内吹出口１８を設けた場合に、この室内吹出口１８と室内空気吸込口８との間のショートサーキットを防止するために、フロントパネル３の構成を変更しておく。すなわち、フロントパネル３は、前記実施の形態における上方の室内空気吸込口８が形成されないように、フロントパネル３の上端部にも側面部と同様の折曲片を形成するとともに、前述の変形例３のようにフロントパネル３の左右側部にスリット３３を形成する。
【００４８】
このように構成すると、例えば、前述の図８（ａ）のように、右側面が壁面近くとなるように設置される場合には、使用者は上面と左側面の室内吹出口１８を開口するとともに、図示されない右側面の室内吹出口１８を前述の蓋板で閉塞する。さらに、空気清浄フィルタ４を、図８（ｂ）のように本体筐体１内の左側方及び上方に配置することにより、室内の気流を良好にすることができる。また、空気清浄機が図９（ａ）のように、左側面が壁面近くとなるように設置される場合には、使用者は上面と右側面の室内吹出口１８を開口するとともに、図示されない左側面の室内吹出口１８を蓋板で閉塞する。さらに、空気清浄フィルタ４を、図９（ｂ）のように本体筐体１内の右側方及び上方に配置することにより、室内の気流を良好にすることができる。
【００４９】
（変形例６）
また、空気清浄機が壁面の中央において床置型で使用されるような場合には、図１０に示すように、空気清浄フィルタ４を本体筐体１内における左右の側方及び上方に配置するとともに、室内吹出口１８を変形例５の場合のように空気清浄フィルタ４の位置に対応して本体筐体１の左右側面及び上面に形成するようにする。また、変形例４の場合のように、上方の室内空気吸込口８を形成せず、補助吸込口としてのスリット３３を左右側部に形成するようにフロントパネル３を変更する。このようにすれば、空気清浄フィルタ４を３箇所に分散配置することになるため、空気通過面積をより大きくすることができる。
【００５０】
（変形例７）
前述の実施の形態においては、空気清浄フィルタ４は仕切板２を取り外した状態にすることにより、前面側から着脱できるように構成していた。しかし空気清浄フィルタ４は、仕切板２を取り付けたままでも前面から着脱できるようにすることもできる。その具体例としては、図１１に示すように、仕切板２に空気清浄フィルタ４を前面から挿入できる程度のサービス孔２５を左右に設ける。そして、このサービス孔２５を閉じる平板状のサービス蓋２６を、仕切板２の前面からねじ２７で取り付けられるようにするとともに、空気清浄フィルタ４をサービス蓋２６の背面側に着脱自在に取り付けるようにする。このようにすることにより、前板３１を外した状態においては、空気清浄フィルタ４がサービス蓋２６に取り付けられた状態で、前面側から取り外すことができる。また、このように取り外した状態においては、空気清浄フィルタ４を交換することも可能となる。
【図面の簡単な説明】
【００５１】
【図１】本発明の実施の形態に係る実施の形態に係る空気清浄機の分解斜視図である。
【図２】同空気清浄機の外観斜視図である。
【図３】同空気清浄機の平断面図である。
【図４】同空気清浄機の側断面図である。
【図５】同空気清浄機の設置例を示す平面設置図であり、室内空気の循環流の状態を示す。
【図６】同空気清浄機の一変形例を示し、遠心ファンとしてラジアルファンを用いたものを示す。
【図７】同空気清浄機の更なる他の変形例を示し、フロントパネルに補助吸込口としてのスリットを設けた例である。
【図８】同空気清浄機の他の変形例を示し、（ａ）は空気清浄機が室内のコーナ部に取り付けられる状態図であって、（ｂ）は空気清浄フィルタの取付位置をこの取付状態に適した位置に変更した例である。
【図９】同空気清浄機の更なる他の変形例を示し、（ａ）は空気清浄機が室内の他のコーナ部に取り付けられる状態図であって、（ｂ）は空気清浄フィルタの取付位置をこの取付状態に適した位置に変更した他の例である。
【図１０】同空気清浄機の更なる他の変形例を示し、空気清浄フィルタを３箇所に配置した例である。
【図１１】同空気清浄機の更なる他の変形例を示し、空気清浄フィルタを仕切板のサービス蓋に取り付けた例である。
【符号の説明】
【００５２】
１…本体筐体、２…仕切板、３…フロントパネル、４…空気清浄フィルタ、５…遠心ファン、５ａ…ラジアルファン、６…プレフィルタ、７…ファン吸込側空間、８，９…室内空気吸込口、１５…収納スペース、１８…室内吹出口、２２…ベルマウス、３３…スリット、４１…空気流入側端面、４２…空気流出側端面、５２…回転軸、５３…ファン吸込口。
【図１】
2008142665.tif 000003
【図２】
2008142665.tif 000004
【図３】
2008142665.tif 000005
【図４】
2008142665.tif 000006
【図５】
2008142665.tif 000007
【図６】
2008142665.tif 000008
【図７】
2008142665.tif 000009
【図８】
2008142665.tif 000010
【図９】
2008142665.tif 000011
【図１０】
2008142665.tif 000012
【図１１】
2008142665.tif 000013